(57)【要約】【課題】本発明は、インターネットに接続しなくても、シングルボードコンピュータ等の小型コンピュータを用いてユーザの携帯情報端末に対して所定のコンテンツ情報を配信することができる情報配信システムの提供を目的とする。【解決手段】所定の箇所に設置されるＳＢＣ１と、複数のユーザＵの情報端末２とからなる。ＳＢＣ１とユーザＵの情報端末２がネットワークを介することなく通信可能に接続される情報配信システムである。ＳＢＣ１は、所定のコンテンツ情報を記憶しており、該ユーザＵの情報端末２から情報提供の要求があった場合、該ユーザの情報端末２に対して所定のコンテンツ情報を配信する。【選択図】図２
2017167774.tif 000002
【特許請求の範囲】
【請求項１】
所定の箇所に設置されるシングルボードコンピュータ等の小型コンピュータと、複数のユーザの情報端末とからなり、前記小型コンピュータとユーザの情報端末がネットワークを介することなく通信可能に接続される情報配信システムであって、
前記小型コンピュータは、所定のコンテンツ情報を記憶しており、該ユーザの情報端末から情報提供の要求があった場合、該ユーザの情報端末に対して所定のコンテンツ情報を配信する情報配信システム。
【請求項２】
前記小型コンピュータは、ユーザの情報端末と接続が確立すると、該ユーザの情報端末に対してＩＰアドレスを送信したあと、該ユーザの情報端末がブラウザを立ち上げてＩＰアドレスを送信してきたときに、該ユーザの情報端末のＩＰアドレスに基づいて所定のコンテンツ情報を選択して、該ユーザの情報端末に対して所定のコンテンツ情報を配信する請求項１に記載の情報配信システム。
【請求項３】
前記小型コンピュータは、ユーザの情報端末と接続が確立した場合、該ユーザの情報端末と有線通信の場合は有線通信用ＩＰアドレスを送信し、該ユーザの情報端末と無線通信の場合は無線通信用ＩＰアドレスを送信する請求項２に記載の情報配信システム。
【請求項４】
前記小型コンピュータは、ユーザの情報端末から所定のドメイン名に関する情報が送信されてきた場合、所定のドメイン名を対応する転送用ＩＰアドレスに変換して、該転送用ＩＰアドレスに基づいて所定のコンテンツ情報を選択して、該ユーザの情報端末に対して所定のコンテンツ情報を配信する請求項２または請求項３のいずれかに記載の情報配信システム。
【請求項５】
前記小型コンピュータは、ユーザの情報端末がブラウザを立ち上げて所定のドメイン名に関する情報が送信されてきた場合、所定のでドメイン名に対応する所定のコンテンツ情報を選択して、該ユーザの情報端末に対して所定のコンテンツ情報を配信する請求項１に記載の情報配信システム。
【請求項６】
前記小型コンピュータは、ユーザの情報端末に対して所定のコンテンツ情報を配信したあと、該ユーザの情報端末から送信されてきたユーザに関する情報を記憶する請求項１から請求項５のいずれかに記載の情報配信システム。
【請求項７】
前記小型コンピュータは、管理者の情報端末から情報提供の要求があった場合、該管理者の情報端末に対して管理画面用のコンテンツ情報を配信する請求項１から請求項６のいずれかに記載の情報配信システム。
【請求項８】
前記小型コンピュータは、ユーザの情報端末に対して電子くじ、漫画家等の作品、あるいはアンケートに関するコンテンツ情報のうちの少なくとも一つのコンテンツ情報を配信する請求項１から請求項７のいずれかに記載の情報配信システム。
【発明の詳細な説明】
【技術分野】
【０００１】
本発明は、ユーザの携帯情報端末に対して所定のコンテンツ情報を配信するための情報配信システムに関するものである。
【背景技術】
【０００２】
近年、インターネットやスマートフォン等の情報端末の普及に伴って、インターネット上のサーバからユーザの情報端末に対して様々なコンテンツ情報を配信することが行われている。例えば、ユーザの情報端末に対して電子くじに関するコンテンツ情報を配信したり、漫画家等のイラストや漫画等の作品に関するコンテンツ情報を配信したり、あるいはアンケートに関するコンテンツ情報を配信することなどが行われている。そして、最近では、インターネットに接続されたＷｉ−Ｆｉルータを使用して、屋外でもユーザの携帯情報端末に対してコンテンツ情報を配信することが試みられている。
【０００３】
ところが、Ｗｉ−Ｆｉルータを使用する場合、必然的にＷｉ−Ｆｉルータをインターネットに接続しなければならならないことから様々な問題があった。例えば、中小規模の店舗がユーザの携帯情報端末に対して電子くじに関するコンテンツ情報を配信する場合、中小規模の店舗にとってＷｉ−ｆｉルータをインターネットに接続する作業は面倒である上に、Ｗｉ−Ｆｉルータを設置する箇所が制限されることが多かった。また、漫画家等がイベント会場でユーザの携帯情報端末に対してイラストや漫画等の作品に関するコンテンツ情報を配信する場合、漫画家等にとってＷｉ−ｆｉルータをインターネットに接続する作業は面倒である上に、漫画家等のブースの箇所によっては電波が届きにくいことからＷｉ−Ｆｉルータをインターネットに接続できない場合もあった。さらに、屋外のイベント会場においてユーザの携帯情報端末装置に対してアンケートに関するコンテンツ情報を配信する場合、ユーザが最も存在しているイベント会場でアンケートを取りたいところが、広い屋外だと電波が届きにくいことからＷｉ−Ｆｉルータをインターネットに接続できない場合もあった。
【０００４】
ところで、最近、「Ｒａｓｐｂｅｒｒｙ  Ｐｉ（ラズベリーパイ）」と称される小型のシングルボードコンピュータ（ＳＢＣ）が注目されている。このシングルボードコンピュータは、手のひらに載る大きさながらパソコンとして使用でき、電子回路等とつなぎプログラムを制御したりすることが可能である。
【先行技術文献】
【特許文献】
【０００５】
【特許文献１】特開２０１１−５３８２６号公報
【特許文献２】特開２００４−１３８４５９号公報
【特許文献３】特開２００４−１１８２６８号公報
【発明の概要】
【発明が解決しようとする課題】
【０００６】
本発明は、上述の技術的背景に鑑みてなされたものであり、インターネットに接続しなくても、シングルボードコンピュータ等の小型コンピュータを用いてユーザの携帯情報端末に対して所定のコンテンツ情報を配信することができる情報配信システムの提供を目的とする。
【課題を解決するための手段】
【０００７】
本発明は、上記目的を達成するために、所定の箇所に設置されるシングルボードコンピュータ等の小型コンピュータと、複数のユーザの情報端末とからなり、前記小型コンピュータとユーザの情報端末がネットワークを介することなく通信可能に接続される情報配信システムであって、前記小型コンピュータは、所定のコンテンツ情報を記憶しており、該ユーザの情報端末から情報提供の要求があった場合、該ユーザの情報端末に対して所定のコンテンツ情報を配信する。
【０００８】
また、前記小型コンピュータは、ユーザの情報端末と接続が確立すると、該ユーザの情報端末に対してＩＰアドレスを送信したあと、該ユーザの情報端末がブラウザを立ち上げてＩＰアドレスを送信してきたときに、該ユーザの情報端末のＩＰアドレスに基づいて所定のコンテンツ情報を選択して、該ユーザの情報端末に対して所定のコンテンツ情報を配信してもよい。
【０００９】
また、前記小型コンピュータは、ユーザの情報端末と接続が確立した場合、該ユーザの情報端末と有線通信の場合は有線通信用ＩＰアドレスを送信し、該ユーザの情報端末と無線通信の場合は無線通信用ＩＰアドレスを送信してもよい。
【００１０】
また、前記小型コンピュータは、ユーザの情報端末から所定のドメイン名に関する情報が送信されてきた場合、所定のドメイン名を対応する転送用ＩＰアドレスに変換して、該転送用ＩＰアドレスに基づいて所定のコンテンツ情報を選択して、該ユーザの情報端末に対して所定のコンテンツ情報を配信してもよい。
【００１１】
また、前記小型コンピュータは、ユーザの情報端末がブラウザを立ち上げて所定のドメイン名に関する情報が送信されてきた場合、所定のでドメイン名に対応する所定のコンテンツ情報を選択して、該ユーザの情報端末に対して所定のコンテンツ情報を配信してもよい。
【００１２】
また、前記小型コンピュータは、ユーザの情報端末に対して所定のコンテンツ情報を配信したあと、該ユーザの情報端末から送信されてきたユーザに関する情報を記憶してもよい。
【００１３】
また、前記小型コンピュータは、管理者の情報端末から情報提供の要求があった場合、該管理者の情報端末に対して管理画面用のコンテンツ情報を配信してもよい。
【００１４】
また、前記小型コンピュータは、ユーザの情報端末に対して電子くじ、漫画家等の作品、あるいはアンケートに関するコンテンツ情報のうちの少なくとも一つのコンテンツ情報を配信してもよい。
【発明の効果】
【００１５】
本発明によれば、インターネットに接続しなくても、シングルボードコンピュータ等の小型コンピュータを用いてユーザの携帯情報端末に対して所定のコンテンツ情報を配信することができる。
【００１６】
よって、例えば、中小規模の店舗がオリジナリティの高い電子くじを簡単に行ったり、漫画家等がコミケ会場で自身のイラストや漫画等の作品をファンに配布することが可能となる。しかも、シングルボードコンピュータの周りにいないと各種サービスの提供を受けられないことから、人を集めるという効果を奏する。
【００１７】
また、屋外で開催される音楽フェス等のイベント会場において、電波がない又は不安定なためにＷｉ−Ｆｉルータを使用してインターネットに接続することが難しく、従来は紙のアンケートを実施することが多かったが、本発明だとイベント会場の所望の箇所に小型コンピュータを設置するだけで来場者からアンケートの回答を簡単に取得することができる。よって、紙のアンケートのように回収後の集計作業に多大な労力を費やす必要もなくなり、また回収したアンケート用紙を廃棄することもないため、エコロジーの観点からも有利である。  
【図面の簡単な説明】
【００１８】
【図１】本発明の実施形態に係る情報配信システムの構成概略図である。
【図２】図１のシングルボードコンピュータ（ＳＢＣ）の構成を示すブロック図である。
【図３】本システムの動作を示すフローチャートである。
【発明を実施するための形態】
【００１９】
次に、本発明に係る情報配信システム（以下、本システムという）の実施形態について図１〜図３を参照しつつ説明する。
【００２０】
本システムは、図１に示すように、本発明の中核をなすシングルボードコンピュータ（以下、ＳＢＣ１という）と、複数のユーザＵのスマートフォン、タブレット端末、携帯電話端末などの情報端末２とから構成される。ＳＢＣ１とユーザＵの情報端末２とは、インターネットなどのネットワークを介することなく有線または無線により通信可能に接続される。
【００２１】
前記ＳＢＣ１は、図１に示すように、イベント会場Ｅの所望の箇所に設置され、図２に示すように、ユーザＵの情報端末２と通信を行う通信部１１０と、所定の処理プログラムに従って制御・処理する制御・処理部１２０と、各種処理プログラムやコンテンツ情報などを記憶する記憶部１３０とを備える。
【００２２】
前記通信部１１０は、有線通信部１１１と無線通信部１１２とを備え、ユーザＵの情報端末２との接続が確立されると、有線通信の場合には有線通信部１１１を介してユーザＵの情報端末２に対して有線通信用ＩＰアドレスを送信し、無線通信の場合には無線通信部１１２を介してユーザＵの情報端末２に対して無線通信用ＩＰアドレスを送信する。
【００２３】
前記記憶部１３０は、処理プログラムを記憶する処理プログラム部１４０と、コンテンツ情報を記憶するコンテンツ記憶部１５０と、各種データを記憶するデータベース部１６０とを備える。
【００２４】
前記処理プログラム記憶部１４０は、ドメイン・ＩＰアドレス処理プログラムを記憶するドメイン・ＩＰアドレス処理プログラム記憶部１４１と、コンテンツ処理プログラムを記憶するコンテンツ処理プログラム記憶部１４２とを備える。これらの処理プログラムは、制御・処理部１２０により実行される。
【００２５】
前記ドメイン・ＩＰアドレス処理プログラムは、ユーザＵの情報端末２がブラウザを立ち上げてＩＰアドレスを送信してきたときに、通信部１１０を介してＩＰアドレスを受信して、該ＩＰアドレスに基づいて実行すべきコンテンツ情報をコンテンツ記憶部１５０から選択する。例えば、ＩＰアドレスが有線通信用ＩＰアドレスの場合、コンテンツ記憶部１５０の後述の有線通信用コンテンツ記憶部１５３から有線通信用コンテンツ情報を選択する。また、ＩＰアドレスが無線通信用ＩＰアドレスの場合、コンテンツ記憶部１５０の後述の無線通信用コンテンツ記憶部１５２から無線通信用コンテンツ情報を選択する。さらに、ＩＰアドレスが管理画面用ＩＰアドレスの場合、コンテンツ記憶部１５０の後述の管理画面用コンテンツ記憶部１５４から管理画面用コンテンツ情報を選択する。
【００２６】
前記コンテンツ処理プログラムは、ドメイン・ＩＰアドレス処理プログラムにより選択された有線通信用または無線通信用コンテンツ情報を制御・処理部１２０で実行して、通信部１１０を介してユーザＵの情報端末２に対して配信する。また、前記コンテンツ処理プログラムは、ドメイン・ＩＰアドレス処理プログラムにより選択された管理画面用コンテンツ情報を制御・処理部１２０で実行して、通信部１１０を介して管理者Ｍの情報端末２に対して配信する。
【００２７】
前記コンテンツ記憶部１５０は、転送用ＩＰアドレスを記憶する転送用ＩＰアドレス記憶部１５１と、無線通信用コンテンツ情報を記憶する無線通信用コンテンツ記憶部１５２と、有線通信用コンテンツ情報を記憶する有線通信用コンテンツ記憶部１５３と、管理画面用コンテンツ情報を記憶する管理画面用コンテンツ記憶部１５４と備える。
【００２８】
前記転送ＩＰアドレスについて具体的に説明すると、一部の旧型の情報端末２では一連の手順を自動で実行することができないので、ユーザＵの情報端末２でブラウザを起動したあとに無線通信用コンテンツ記憶部１５２のＵＲＬを手入力する必要がある。この際、当該ＵＲＬが数字の羅列ではユーザＵの操作が面倒になるため、ユーザＵに馴染みがあり、かつ簡潔なドメイン名を設定した無線通信用コンテンツ記憶部１５２を用意することが可能である。しかし、ドメイン名を設定した無線通信用コンテンツ記憶部１５２を用意した場合、ＩＰアドレスに基づいてコンテンツ情報をコンテンツ記憶部１５０から自動的に選択できるユーザＵの情報端末２が無線通信用コンテンツ記憶部１５２に到達できない。このため、転送処理を行う転送用ＩＰアドレス記憶部１５１を用意して、ドメイン名を転送用ＩＰアドレス記憶部１５１に記憶されている所定の転送用ＩＰアドレスに変換した上で、該転送用ＩＰアドレスに基づいて無線通信用コンテンツ記憶部１５２から無線通信用コンテンツ情報を選択する。
【００２９】
前記無線通信用または有線通信用コンテンツ情報は、例えば、電子くじに関するコンテンツ情報、漫画家等のイラストや漫画等の作品に関するコンテンツ情報、あるいはアンケートに関するコンテンツ情報などが挙げられる。
【００３０】
前記管理画面用コンテンツ情報は、管理者Ｍの情報端末２のみに供されるものである。管理者Ｍは、管理画面用コンテンツ情報に係る管理画面を利用して、データベース部１６０に記憶されているアンケート結果に関する情報を閲覧・抽出したり、アクセス状況を把握したり、シャットダウン操作などを行うことができる。
【００３１】
前記データベース部１６０は、例えば、ユーザＵの情報端末２に対してアンケートに関するコンテンツ情報を配信した場合、ユーザＵの情報端末２から送信されてきたアンケートの回答結果に関する情報を記録・管理したりする。
【００３２】
次に、本システムにおいて、ＳＢＣ１からユーザＵの情報端末２に対して所定のコンテンツ情報を配信する方法について、図３を参照しつつ説明する。なお、以下の説明において、「ステップ」を「Ｓ」と略記する。
【００３３】
（Ｓ１）ユーザＵの情報端末２が、通信部１１０を介してＳＢＣ１に接続を要求する。
【００３４】
（Ｓ２）ユーザＵの情報端末２とＳＢＣ１の接続が確立すると、ＳＢＣ１はユーザＵの情報端末２に対して、有線通信の場合には有線通信用ＩＰアドレスを送信し、無線通信の場合には無線通信用ＩＰアドレスを送信する。
【００３５】
（Ｓ３）ユーザＵの情報端末２が、ブラウザを立ち上げたあと、ＩＰアドレスをＳＢＣ１に送信する。
【００３６】
（Ｓ４）ＳＢＣ１が、ドメイン・ＩＰアドレス処理プログラム記憶部１４１に記憶されているドメインＩＰ・アドレス処理プログラムを制御・処理部１２０で実行し、ＩＰアドレスに基づいて実行すべき所定の有線通信用または無線通信用のコンテンツ情報をコンテンツ記憶部１５０から選択する。
【００３７】
なお、一部の旧型の情報端末２では、上述の一連の手順を自動で実行することができないので、ユーザＵの情報端末２でブラウザを起動したあとにドメイン名を手入力する必要がある。ＳＢＣ１では、ドメイン名を転送用ＩＰアドレス記憶部１５１に記憶されている所定の転送用ＩＰアドレスに変換した上で、該転送用ＩＰアドレスに基づいて無線通信用コンテンツ記憶部１５２から無線通信用コンテンツ情報を選択する。
【００３８】
（Ｓ５）ＳＢＣ１が、コンテンツ処理プログラム記憶部１４２に記憶されているコンテンツ処理プログラムを制御・処理部１２０で実行し、選択したコンテンツ情報を実行して、通信部１１０を介してユーザＵの情報端末２に対して配信する。例えば、電子くじに関するコンテンツ情報、漫画家等のイラストや漫画等の作品に関するコンテンツ情報、あるいはアンケートに関するコンテンツ情報を実行して、ユーザＵの情報端末２に対して配信することが挙げられる。
【００３９】
（Ｓ６）また、必要に応じて、ユーザＵの情報端末２からユーザＵに関する情報が送信されてきた場合、ＳＢＣ１は該ユーザＵに関する情報をデータベース部１６０に記憶する。例えば、コンテンツ情報がアンケートに関するものである場合、ユーザＵの情報端末２からＳＢＣ１に対してアンケートの回答結果に関する情報が送信されてくると、ＳＢＣ１が当該アンケートの回答結果に関する情報をデータベース部１６０に記憶する。
【００４０】
あとは、ＳＢＣ１とユーザＵの情報端末２の接続を解除すれば、上述の処理が終了する。
【００４１】
なお、コンテンツ記憶部１５０に記憶されたコンテンツ情報に自動アクセスする必要がない場合には、ドメイン・ＩＰアドレス処理ブログラム記憶部や転送ＩＰアドレス記憶部が設けられていなくてもよい。この場合、ユーザＵの情報端末２が手入力でＩＰアドレスを入力することにより、所定のコンテンツ情報の提供を受けることができる。
【００４２】
また、ＳＢＣ１のデータベース部１６０のみをインターネット上のサーバに配置して、ユーザＵに関する情報をインターネットを介してデータベース部１６０に送信して記憶してもよい。
【００４３】
また、小型コンピュータとしてシングルボードコンピュータ（ＳＢＣ）を用いたが、通信機能付きＳＤカードリーダーライターなどの通信機能が付いたものであれば、その他の小型コンピュータであってもよい。
【００４４】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４５】
１・・・シングルボードコンピュータ（ＳＢＣ）
１１０・・・通信部
１１１・・・有線通信部
１１２・・・無線通信部
１２０・・・制御・処理部
１３０・・・記憶部
１４０・・・処理プログラム記憶部
１４１・・・ドメイン・ＩＰアドレス処理プログラム記憶部
１４２・・・コンテンツ処理プログラム記憶部
１５０・・・コンテンツ記憶部
１５１・・・転送用ＩＰアドレス記憶部
１５２・・・無線通信用コンテンツ記憶部
１５３・・・有線通信用コンテンツ記憶部
１５４・・・管理画面用コンテンツ記憶部
１６０・・・データベース部
２・・・ユーザＵの情報端末
【図１】
2017167774.tif 000003
【図２】
2017167774.tif 000004
【図３】
2017167774.tif 000005